(57)【要約】【課題】  スティックスリップに伴う内輪端面及び内輪取付相手部材のフランジ端面の摩耗を抑制することにある。【解決手段】  内輪１１の大鍔部１１ｃ側の端部に、内輪１１の半径方向外側に保持器１４の大径リング部１４ｂの内径ｄを越えて延在するフランジ部１１ｅを一体に成形して、内輪端面１１ｄと内輪取付相手部材Ｓ1のフランジ端面Ｓ12との接触面積が広くなるようにした。内輪端面１１ｄと内輪取付相手部材Ｓ1のフランジ端面Ｓ12との接触面積を広げると、内輪端面１１ｄ及び内輪取付相手部材Ｓ1のフランジ端面Ｓ12の接触面圧が軽減され、スティックスリップに伴う内輪端面１１ｄ及び内輪取付相手部材Ｓ1のフランジ端面Ｓ12の摩耗が抑制される。【選択図】図１
2006029520.tif 000002
【特許請求の範囲】
【請求項１】
外周面に円すい状の軌道面を有し、かつ、この軌道面の小径側に小鍔部を形成すると共に大径側に大鍔部を形成した内輪と、内周面に円すい状の軌道面を有する外輪と、内輪の軌道面と外輪の軌道面との間に転動自在に介在した複数の円すいころと、小径リング部及び大径リング部間に複数本の柱部を有し、かつ、この柱部相互間に円すいころを保持するポケット部を形成した保持器とを備え、内輪に内嵌される内輪取付相手部材に形成したフランジ部の端面に対して内輪の大鍔部側の端面を接触させて使用する円すいころ軸受において、内輪の大鍔部側の端面と内輪取付相手部材のフランジ部との接触面積が広くなるように、内輪の大鍔部側の端部に、内輪の半径方向外側に保持器の大径リング部の内径を越えて延在するフランジ部を一体に成形したことを特徴とする円すいころ軸受。
【請求項２】
保持器の小径リング部から大径リング部へ向けてスリットを設け、内輪に対して円すいころ及び保持器を組付ける際に保持器の少なくとも小径リング部側を弾性的に拡径させるように構成したことを特徴とする請求項１に記載の円すいころ軸受。
【請求項３】
内輪に対して円すいころ及び保持器を組付けたのち、保持器のスリットを接合したことを特徴とする請求項２に記載の円すいころ軸受。
【発明の詳細な説明】
【技術分野】
【０００１】
本発明は、例えば自動車のトランスミッションやデファレンシャル等の歯車装置に組み込まれる円すいころ軸受に関するものである。
【背景技術】
【０００２】
自動車のトランスミッション（主変速機）は、大別して、マニュアルタイプとオートマチックタイプがあり、車輌の駆動方式によって前輪駆動（ＦＷＤ）用トランスアクスル、後輪駆動（ＲＷＤ）用トランスミッション、および四輪駆動（４ＷＤ）用トランスファ（副変速機）がある。これらは、エンジンからの駆動力を変速して駆動軸などへ伝達するものである。一方、デファレンシャル（終減速装置）は減速歯車装置と差動装置から構成され、減速歯車装置は回転速度の減速と駆動力の増大、特にエンジン縦置きの車輌では駆動力の伝達方向の直角方向に変えて駆動輪車軸に伝達し、差動装置は左右の駆動輪に回転速度差が生じたとき、両輪を差動させて車輪のスリップを防止するものである。
【０００３】
図５は、自動車のデファレンシャルの一例を示している。このデファレンシャルは、前部機関後輪駆動の自動車（ＦＲ車）に装備されるもので、同図で紙面上方向が車体前方、紙面下方向が車体後方である。デファレンシャルケース２１の前部内周面にドライブピニオン軸２２が挿通され、一対の円すいころ軸受２３、２４で回転自在に支持される。ドライブピニオン軸２２の前端部にはプロペラシャフトが連結され、後端部にはリングギア（減速大歯車）２５と歯合するドライブピニオンギヤ（減速小歯車）２２ａが固定され又は一体に設けられる。
【０００４】
リングギヤ２５は差動歯車ケース２６に連結され、差動歯車ケース２６は一対の円すいころ軸受２７、２８でデファレンシャルケース２１に対して回転自在に支持される。差動歯車ケース２６の内部には、一対のピニオンギヤ２９と、これに歯合する一対のサイドギヤ３０がそれぞれ配設される。ピニオンギヤ２９はピニオン軸３１に固定され、サイドギヤ３０はスラストワッシャを介して差動歯車ケース２６に装着される。図示されていない左右のドライブシャフトは、それぞれに対応するサイドギヤ３０の内径部に連結（セレーション連結等）される。
【０００５】
プロペラシャフトからの駆動トルクは、ドライブピニオンギヤ２２ａ→リングギヤ２５→差動歯車ケース２６→ピニオンギヤ２９→サイドギヤ３０→ドライブシャフトという経路で伝達される。一方、タイヤの駆動抵抗は、ドライブシャフト→サイドギヤ３０→ピニオンギヤ２９へと伝達される。
【０００６】
デファレンシャルケース２１内には潤滑油が貯溜され、シール部材３３、３４、３５によって密封される。回転時、歯車部や軸受部等の部品は、デファレンシャルケース２１内の油浴によって潤滑される（油浴潤滑）。
【０００７】
図６は、上記のデファレンシャルのような歯車装置において、差動歯車ケース２６をデファレンシャルケース２１に対して回転自在に支持する従来の円すいころ軸受（円すいころ軸受２７、２８）を示している。尚、ドライブピニオン軸２２をデファレンシャルケース２１に対して回転自在に支持する円すいころ軸受（円すいころ軸受２３、２４）も同様の形態である。
【０００８】
従来の円すいころ軸受は、図６に示すように、外周面に円すい状の軌道面１１ａを有し、かつ、この軌道面１１ａの小径側に小鍔部１１ｂを形成すると共に大径側に大鍔部１１ｃを形成した内輪１１と、内周面に円すい状の軌道面１２ａを有する外輪１２と、内輪１１の軌道面１１ａと外輪１２の軌道面１２ａとの間に転動自在に介在した複数の円すいころ１３と、複数の円すいころ１３を軸受周方向に所定の間隔を隔てて保持する保持器１４とを主要な構成要素としている。
【０００９】
なお、従来の円すいころ軸受に使用される保持器１４は、図７に示すように、小径リング部１４ａと大径リング部１４ｂとの間に複数本の柱部１４ｃを有し、柱部１４ｃの相互間に円すいころ１３を保持するポケット部１４ｄを形成したものである。
【００１０】
そして、従来の円すいころ軸受は、内輪１１に対する円すいころ１３及び保持器１４の組付け上の要請から、内輪１１の大鍔部１１ｃの外径Ｄ0が、図６に示すように、保持器１４の大径リング部１４ｂの内径ｄよりも小径に形成されている。従来の円すいころ軸受に使用される保持器１４には、大別して弾性に優れた樹脂製のものと剛性の高い鋼板製のものがある。樹脂製の保持器１４は、リンや硫黄の含有量が多い潤滑油や酸化劣化の激しい潤滑油に対する耐性が低く劣化し易い。このため、自動車のトランスミッションやデファレンシャルのように油浴潤滑で使用する円すいころ軸受には、耐油性に優れた鋼板製の保持器１４を使用する傾向がある。
【００１１】
内輪１１に対して円すいころ１３及び鋼板製の保持器１４を組付けるときは、保持器１４のポケット部１４ｄに円すいころ１３を嵌め込み、円すいころ１３に内輪１１の小鍔部１１ｂを乗り越えさせて、内輪１１の小鍔部１１ｂと大鍔部１１ｃとの間に円すいころ１３を嵌合させる。鋼板製の保持器１４は、樹脂製の保持器１４と比較して弾性変形量が極めて小さいので、円すいころ１３に内輪１１の小鍔部１１ｂを乗り越えさせるときに、内輪１１、円すいころ１３及び保持器１４に対して過大な負荷が作用するおそれがある。このため、鋼板製の保持器１４は、柱部１４ｃの小径リング部１４ａ側の部分を予め外側へ拡径させて、円すいころ１３の小径側を保持器１４の半径方向外側へ逃がせるようにしておく（例えば特許文献１参照）。
【００１２】
そして、内輪１１に円すいころ１３及び鋼板製の保持器１４を組み付けたのち、図８に示すように、加締め治具１５によって鋼板製の保持器１４の柱部１４ｃを内側に加締めて、ポケット部１４ｄを等脚台形状に形成する。図８に示す加締め工程において、鋼板製の保持器１４の大径リング部１４ｂを図中の矢印で示すように押さえておく必要があることから、内輪１１の大鍔部１１ｃの外径Ｄ0は、保持器１４の大径リング部１４ｂの内径ｄよりも小径に形成されている。
【００１３】
ところで、従来の円すいころ軸受は、図６に示すように、内輪１１を内輪取付相手部材Ｓ1（例えばデファレンシャルのドライブピニオン軸２２や差動歯車ケース２６など）に嵌合させ、内輪１１の大鍔部側の端面１１ｄ（以下、内輪端面１１ｄという。）を内輪取付相手部材Ｓ1から半径方向に延び出たフランジ部Ｓ11の端面Ｓ12（以下、単にフランジ端面Ｓ12という。）に接触させると共に、外輪１２をフランジ端面Ｓ12側へ押圧することで、適度な軸受予圧を付与している。このように適度な軸受予圧を付与することで、円すいころ軸受の疲労寿命を延ばすと共に、デファレンシャル等の歯車装置のギアの噛み合わせを向上させてギア欠け等のトラブルを防止している。しかし、歯車装置に高トルクが入力されると内輪取付相手部材Ｓ1にねじれが発生し、内輪端面１１ｄとフランジ端面Ｓ12との間でスティックスリップ（滑り）が生じることがある。
【００１４】
従来の円すいころ軸受は、円すいころ１３及び保持器１４の組付け上の要請から内輪１１の大鍔部１１ｃが保持器１４の大径リング部１４ｂの内径ｄよりも小径に形成されているので、内輪端面１１ｄを十分に広く形成することができない。内輪端面１１ｄが狭いと、内輪端面１１ｄとフランジ端面Ｓ12との接触面圧が高くなり、スティックスリップに伴う内輪端面１１ｄ及びフランジ端面Ｓ12の摩耗量が多くなる。内輪端面１１ｄやフランジ端面Ｓ12が摩耗すると、内輪１１が外輪１２から離れて軸受予圧を減少させるおそれがある。
【００１５】
軸受予圧が減少しないように、内輪端面１１ｄ及びフランジ端面Ｓ12の摩耗を抑制する技術として、例えば特許文献２に記載された転がり軸受（円すいころ軸受）がある。この転がり軸受は、図９に示すように、内輪１１の大鍔部１１ｃ側の端部に耐磨耗性のあるワッシャ１６を嵌合して、内輪端面１１ｄをワッシャ１６で被覆したものである。ワッシャ１６は、表面層を固体潤滑剤で構成してある。これにより、ワッシャ１６に接触する内輪端面１１ｄ及びフランジ端面Ｓ12は、スティックスリップが発生しても、ほとんど摩耗しない。
【００１６】
【特許文献１】特開２００３−１３９１３３号公報
【特許文献２】特開２００２−３２３０４９号公報
【発明の開示】
【発明が解決しようとする課題】
【００１７】
しかし、特許文献２に記載された技術を従来の円すいころ軸受に適用すると、軸受の組立てにワッシャ１６の嵌合工程が加えられ、軸受組立て工数が多くなって生産性の低下を招くおそれがある。また、ワッシャ１６の表面加工や軸受構成部品点数の増加に伴って大幅なコストアップにもなる。
【００１８】
本発明は、斯かる実情に鑑み創案されたものであって、その目的は、軸受構成部品点数を増加させずにスティックスリップに伴う内輪端面及び内輪取付相手部材のフランジ端面の摩耗を抑制することにある。
【課題を解決するための手段】
【００１９】
本発明に係る円すいころ軸受は、上記目的を達成するため、外周面に円すい状の軌道面を有し、かつ、この軌道面の小径側に小鍔部を形成すると共に大径側に大鍔部を形成した内輪と、内周面に円すい状の軌道面を有する外輪と、内輪の軌道面と外輪の軌道面との間に転動自在に介在した複数の円すいころと、小径リング部及び大径リング部間に複数本の柱部を有し、かつ、この柱部相互間に円すいころを保持するポケット部を形成した保持器とを備え、内輪に内嵌される内輪取付相手部材に形成したフランジ部の端面に対して内輪の大鍔部側の端面を接触させて使用する円すいころ軸受において、内輪の大鍔部側の端面と内輪取付相手部材のフランジ部との接触面積が広くなるように、内輪の大鍔部側の端部に、内輪の半径方向外側に保持器の大径リング部の内径を越えて延在するフランジ部を一体に成形したことを特徴としている。
【００２０】
本発明は、上記の如く、内輪の大鍔部側の端面と内輪取付相手部材（例えば図５に示すデファレンシャルのドライブピニオン軸２２や差動歯車ケース２６など）のフランジ部との接触面積が広くなるように、内輪の大鍔部側の端部に、内輪の半径方向外側に保持器の大径リング部の内径を越えて延在するフランジ部を一体に成形したものである。このように内輪の大鍔部側の端面と内輪取付相手部材のフランジ部との接触面積を広げると、内輪の大鍔部側の端面及び内輪取付相手部材のフランジ部の端面の接触面圧が低減するから、スティックスリップ発生時における内輪の大鍔部側の端面及び内輪取付相手部材のフランジ部の端面の摩耗を抑制することができる。
【００２１】
また、上記の円すいころ軸受は、内輪の大鍔部側の端部に、保持器の大径リング部の内径よりも大径に形成したフランジ部を一体に成形してあるので、従来の円すいころ軸受に使用される鋼板製等の高剛性材料からなる保持器（図７参照）に対し、従来装置では図８に示す加締め工程を行なうことができず、円すいころ軸受を組立てることができない構成になっている。このため、本発明に係る円すいころ軸受は、保持器の小径リング部から大径リング部へ向けてスリットを設け、内輪に対して円すいころ及び保持器を組付ける際に保持器の少なくとも小径リング部側を弾性的に拡径させるように構成してある。このように少なくとも小径リング部側が弾性的に拡径可能に構成された保持器を使用することで、当該保持器が鋼板製等の高剛性材料からなるものであっても図８に示す加締め工程を行なうことなく、円すいころ及び保持器を、大鍔部側の端部にフランジ部を設けた内輪に組付けることができる。
【発明の効果】
【００２２】
本発明によれば、内輪の大鍔部側の端部に、内輪の半径方向外側に保持器の大径リング部の内径を越えて延在するフランジ部を一体に成形し、内輪の大鍔部側の端面と内輪取付相手部材のフランジ部との接触面積が広くなるようにしたから、内輪の大鍔部側の端面と内輪取付相手部材のフランジ端面との接触面圧が低減し、内輪の大鍔部側の端面及び内輪取付相手部材のフランジ端面の摩耗を抑制することができる。
【発明を実施するための最良の形態】
【００２３】
以下、図面を参照しつつ本発明を実施するための最良の形態について説明する。
【００２４】
図１は、本発明に係る円すいころ軸受の一実施形態を例示している。この実施形態における円すいころ軸受は、図１に示すように、内輪１１と、外輪１２と、複数個の円すいころ１３と、保持器１４とを主要な構成要素としている。なお、この実施形態における外輪１２及び複数個の転動体１３の構成は、従来例を示す図６のものと同じ構成になっているので、これらの説明は省略する。
【００２５】
内輪１１は、外周面に円すい状の軌道面１１ａを有し、かつ、この軌道面１１ａの小径側に小鍔部１１ｂを形成すると共に大径側に大鍔部１１ｃを形成したものであって、大鍔部１１ｃ側の端部に内輪１１の半径方向外側に延在するフランジ部１１ｅを一体に成形してある。内輪１１のフランジ部１１ｅは、内輪取付相手部材Ｓ1のフランジ端面Ｓ12に対して接触させる内輪端面１１ｄを構成する部位である。内輪１１のフランジ部１１ｅの外径Ｄは、保持器１４の大径リング部１４ｂの内径ｄよりも大径である外輪１２の外径Ｄと同じ寸法になっている。
【００２６】
なお、内輪取付相手部材Ｓ1は、半径方向に延在するフランジ部Ｓ11を有し、このフランジ部Ｓ11を内輪１１のフランジ部１１ｅと略同径に形成してある。
【００２７】
このように、内輪１１のフランジ部１１ｅを保持器１４の大径リング部１４ｂの内径ｄよりも大径に形成しておくと、内輪端面１１ｄ及びフランジ端面Ｓ12の接触面積を、従来の円すいころ軸受と比較して広くすることが可能になる。これにより内輪端面１１ｄ及びフランジ端面Ｓ12の接触面圧が、従来の円すいころ軸受よりも低減するから、スティックスリップが発生したときの内輪端面１１ｄ及びフランジ端面Ｓ12の摩耗量を軽減させることができる。
【００２８】
一方、保持器１４は、図２に示すように、小径リング部１４ａと大径リング部１４ｂとの間に複数本の柱部１４ｃを有し、柱部１４ｃの相互間に円すいころ１３（図示略）を保持するポケット部１４ｄを形成したものである。
【００２９】
上記の円すいころ軸受を、自動車のトランスミッションやデファレンシャルのように油浴潤滑で使用する場合は、保持器１４として耐油性に優れた材料からなるものを使用することが好ましい。耐油性に優れた保持器１４としては、鋼板製のものが代表的である。
【００３０】
また、上記の円すいころ軸受は内輪１１の大鍔部１１ｃ側の端部にフランジ部１１ｅを設けてあるために、図８に示す加締め工程で使用される従来装置では、内輪端面１１ｄの側方から保持器１４の大径リング部１４ｂを押えることができない。さらに、図８に示す加締め工程と同様の工程を行なえるように従来装置を改良しても、加締め工程では、柱部１４ｃに残留変形が生じてポケット部１４ｄを円すいころ１３の形状に完全対応した等脚台形状に形成することが困難である。このような理由から、上記の円すいころ軸受に鋼板等の高剛性材料からなる保持器１４を使用する場合は、図８に示すような加締め工程が不要な保持器１４を使用することが望ましい。
【００３１】
そこで、図２に示す保持器１４は、小径リング部１４ａから大径リング部１４ｂへ向けてスリット１４ｅを設けて、内輪１１に対して円すいころ１３及び保持器１４を組付ける際に保持器１４の少なくとも小径リング部１４ａ側を弾性的に拡径させるように構成してある。スリット１４ｅは、保持器１４の円周方向のうち柱部１４ｃの配設箇所ごとに、小径リング部１４ａから大径リング部１４ｂへ向けて柱部１４ｃの中間部まで設けてある。
【００３２】
そして、保持器１４のポケット部１４ｄに円すいころ１３を嵌め込んだ状態で、大径リング部１４ｂ側から保持器１４の内側へ内輪１１を挿入すると、保持器１４は、図３に示すように、スリット１４ｅの形成箇所で小径リング部１４ａ側が弾性的に拡径する。保持器１４の小径リング部１４ａ側が拡径すると、円すいころ１３（図示略）の小径側を保持器１４の半径方向外側へ逃がすことができるので、内輪１１、円すいころ１３及び保持器１４に対して過大な負荷を作用させずに、円すいころ１３に内輪１１の小鍔部１１ｂを乗り越えさせることができる。また、円すいころ１３が内輪１１の小鍔部１１ｂを乗り越えて内輪１１の小鍔部１１ｂ及び大鍔部１１ｃの間に嵌合すると、保持器１４は、図２に示す弾性変形前の形状に復帰する。なお、スリット１４ｅは、内輪１１に対して円すいころ１３及び保持器１４を組付けたのち、円すいころ１３及び保持器１４を内輪１１から取外せるように、そのままの状態で残しておいてもよいが、保持器１４の環剛性を高めるために溶接や接着等の適宜の手段で接合しても構わない。
【００３３】
このように、保持器１４の小径リング部１４ａ側を拡径し得るよう構成すると、保持器１４を塑性変形させることなく内輪１１に組付けることができる。また、組立て時に保持器１４の塑性変形を不要にすることで、円すいころ軸受の組立てが簡略化されて生産性が向上するばかりか、保持器１４のポケット部１４ｄを円すいころ１３の形状に完全対応した等脚台形状に形成することが可能になる。保持器１４のポケット部１４ｄを円すいころ１３の形状に完全対応させると、円すいころ１３及び保持器１４の接触状態が良好になり、保持器１４の耐久性を向上させることができる。ここでいう円すいころ１３の形状は、円すいころ１３の軸線位置から円すいころ１３の半径方向に所定距離隔てた位置における断面形状であって、保持器１４の柱部１４ｃの長手方向と同じ方向の断面形状である。
【００３４】
すなわち、従来の円すいころ軸受は、図８に示す加締め工程により柱部１４ｃを加締めることで保持器１４の強度が低下し、また、保持器１４のポケット部１４ｄを円すいころ１３の形状に完全対応した等脚台形状に形成することが困難であるため、円すいころ１３及び保持器１４の接触不良により保持器１４の耐久性が低下するという問題があったが、この実施形態における円すいころ軸受は、図２に示す保持器１４を適用することで、かかる問題をも解消し得るものである。
【００３５】
以上、本発明の一実施形態につき説明したが、本発明は上記実施形態に限定されることなく種々の変形が可能である。例えば上記実施形態では、フランジ部１１ｅの外径Ｄを、保持器１４の内径ｄよりも大径である外輪１２の外径と同径に形成してあるが、フランジ部１１ｅの外径Ｄは、保持器１４の内径ｄよりも大径であれば、外輪１２の外径より大きくも小さくも形成することが可能である。すなわち、内輪１１のフランジ部１１ｅや内輪取付相手部材Ｓ1のフランジ部Ｓ11が外輪取付相手部材Ｓ2又は他の部材に干渉しない範囲内であれば、フランジ部１１ｅの外径Ｄは、外輪１２の外径よりも大きく形成することもできる。なお、図５に示すデファレンシャルの円すいころ軸受２３，２４，２７，２８の配設箇所のいずれにも適用し得る汎用性を持たせるためには、フランジ部１１ｅの外径を外輪１２の外径以下に形成しておくことが望ましい。
【００３６】
また、特許文献１には、ポケットの斜辺が、円すいころの斜面の角度に対して円すいころの小径側に位置するポケットの上底に向かって広がって形成されることにより、ポケットに組み付けられた円すいころの小径側が円すいころ軸受の半径方向の自由度を有するように構成した鋼板製の保持器が開示されている。特許文献１に開示された鋼板製の保持器は、塑性変形させることなく内輪に対して組み付けられるので、本発明に係る円すいころ軸受に適用することが可能であるが、保持器のポケットを円すいころの形状に完全対応した等脚台形状に形成していないため、円すいころ及び保持器の接触不良により保持器の耐久性が低下する。また、本発明に係る円すいころ軸受は、図７に示す保持器１４であって耐油性の低い樹脂製のものを適用することも可能であるが、この場合には油浴潤滑で使用すると保持器１４の耐久性に問題が生じる。さらに、本発明に係る円すいころ軸受は、図７に示す保持器１４であって鋼板製のものを適用することも可能であるが、この場合には図８に示す加締め工程で使用される装置を改良する必要がある。さらにまた、本発明に係る円すいころ軸受は、従来、剛性が高いために保持器１４の材料として使用されていなかった樹脂材料（例えばＰＰＳ材など）であっても、スリット１４ｅを設けることで保持器１４の材料として使用することが可能になる。
【００３７】
また、上記実施形態では、保持器１４のスリット１４ｅを柱部１４ｃの配設箇所ごとに、小径リング部１４ａから柱部１４ｃの中間部まで設けてあるが、スリット１４ｅは、保持器１４の少なくとも小径リング部１４ａ側が拡径するように設けてあればよく、例えば図４（Ａ）乃至（Ｃ）に示すような他の形態であっても構わない。図４（Ａ）に示すスリット１４ｅは、柱部１４ｃの配設箇所のうちの一箇所であって、小径リング部１４ａから大径リング部１４ｂまでの保持器１４の軸線方向全域に渡って設けてある。図４（Ｂ）に示すスリット１４ｅは、保持器１４の円周方向のうちポケット部１４ｄの形成箇所ごとに、小径リング部１４ａの全域に渡って設けてある。図４（Ｃ）に示すスリット１４ｅは、保持器１４の円周方向のうちポケット部１４ｄの形成箇所のひとつであって、小径リング部１４ａ及び大径リング部１４ｂの全域に渡って設けてある。なお、図２及び図４（Ｂ）では、柱部１４ｃの配設箇所やポケット部１４ｄの形成箇所の全てにスリット１４ｅを設けてあるが、スリット１４ｅは、保持器１４の円周方向のうち少なくとも一箇所に設けてあればよい。
【図面の簡単な説明】
【００３８】
【図１】本発明に係る円すいころ軸受の一実施形態を示す縦断面図である。
【図２】本発明に係る円すいころ軸受に適用する保持器の一例を示す側面図である。
【図３】図２に示す保持器の動作説明図である。
【図４】（Ａ）乃至（Ｃ）図は、それぞれ本発明に係る円すいころ軸受に適用する保持器の他の例を示す斜視図である。
【図５】従来の円すいころ軸受を適用した自動車のデファレンシャルの一例を示す概略横断面図である。
【図６】従来の円すいころ軸受の一例を示す縦断面図である。
【図７】従来の円すいころ軸受に使用される保持器の一例を示す斜視図である。
【図８】従来の円すいころ軸受を組立てる際の加締め工程を示す図である。
【図９】内輪端面の摩耗を防止した従来例を示す縦断面図である。
【符号の説明】
【００３９】
１１   内輪
１１ａ 軌道面
１１ｂ 小鍔部
１１ｃ 大鍔部
１１ｄ 内輪端面
１１ｅ 内輪のフランジ部
１２   外輪
１２ａ 軌道面
１３   転動体
１４   保持器
１４ａ 小径リング部
１４ｂ 大径リング部
１４ｃ 柱部
１４ｄ ポケット部
１４ｅ スリット
Ｄ     内輪フランジ部の外径
ｄ     保持器の大径リング部の内径
Ｓ1    内輪取付相手部材
Ｓ11   内輪取付相手部材のフランジ部
Ｓ12   内輪取付相手部材のフランジ端面
Ｓ2    外輪取付相手部材
【図１】
2006029520.tif 000003
【図２】
2006029520.tif 000004
【図３】
2006029520.tif 000005
【図４】
2006029520.tif 000006
【図５】
2006029520.tif 000007
【図６】
2006029520.tif 000008
【図７】
2006029520.tif 000009
【図８】
2006029520.tif 000010
【図９】
2006029520.tif 000011